(57)【要約】【課題】特定の通信装置への通信サービスを中断させることなく、自動的に中継装置の再起動を行う。【解決手段】通信装置が接続される中継装置１であって、通信装置各々から受信した受信信号が、特定の通信装置からの契機信号か否かを判別する信号判別部２と、信号判別部２が特定の通信装置からの契機信号であると判別した場合であって、かつ、当該中継装置１が再起動を要する状態の場合に、当該中継装置１を再起動する起動制御部３とを備える。【選択図】図１
2008271381.tif 000002
【特許請求の範囲】
【請求項１】
少なくとも１つの通信装置が接続される中継装置であって、
通信装置各々から受信した受信信号が、特定の通信装置からの契機信号か否かを判別する信号判別部と、
前記信号判別部が特定の通信装置からの契機信号であると判別した場合であって、かつ、当該中継装置が再起動を要する状態の場合に、当該中継装置を再起動する起動制御部とを備えること
を特徴とする中継装置。
【請求項２】
請求項１記載の中継装置であって、
前記特定の通信装置の識別情報を記憶する記憶手段を、さらに備え、
前記信号判別部は、前記受信信号に含まれる送信元通信装置の識別情報が前記記憶手段に記憶されている場合、前記特定の通信装置からの受信信号であると判別すること  
を特徴とする中継装置。
【請求項３】
請求項１記載の中継装置であって、
前記起動制御部は、ソフトウェアのダウンロード時または設定の変更時に、当該中継装置の状態を再起動が必要な状態に変更するとともに、再起動後に当該中継装置の状態を再起動が不要な状態に変更すること
を特徴とする中継装置。
【請求項４】
少なくとも１つの通信装置が接続される中継装置が行う再起動方法であって、
通信装置から受信した受信信号が、特定の通信装置からの契機信号か否かを判別する信号判別ステップと、
当該中継装置が再起動を要する状態か否かを判別する再起動判別ステップと、
前記信号判別ステップで特定の通信装置からの契機信号であると判別し、かつ、再起動判別ステップで再起動を要する状態であると判別した場合に、当該中継装置を再起動する再起動ステップと、を行うこと
を特徴とする再起動方法。
【請求項５】
請求項４記載の再起動方法であって、
前記中継装置は、前記特定の通信装置の識別情報を記憶する記憶部を備え、
前記信号判別ステップは、前記受信信号に含まれる送信元通信装置の識別情報が前記記憶部に記憶されている場合、前記特定の通信装置からの受信信号であると判別すること  
を特徴とする再起動方法。
【請求項６】
請求項４記載の再起動方法であって、
ソフトウェアのダウンロード時または設定の変更時に、当該中継装置の状態を再起動が必要な状態に変更する第１の変更ステップと、
前記再起動ステップの後に、当該中継装置の状態を再起動不要な状態に変更する第２の変更ステップと、をさらに行うこと
を特徴とする再起動方法。
【請求項７】
少なくとも１つの通信装置が接続される中継装置が実行する再起動プログラムであって、
前記中継装置に、
通信装置から受信した受信信号が、特定の通信装置からの契機信号か否かを判別する信号判別ステップと、
当該中継装置が再起動を要する状態か否かを判別する再起動判別ステップと、
前記信号判別ステップで特定の通信装置からの契機信号であると判別し、かつ、再起動判別ステップで再起動を要する状態であると判別した場合に、当該中継装置を再起動する再起動ステップと、を実行させること
を特徴とする再起動プログラム。
【請求項８】
請求項７記載の再起動プログラムであって、
前記中継装置は、前記特定の通信装置の識別情報を記憶する記憶部を備え、
前記信号判別ステップは、前記受信信号に含まれる送信元通信装置の識別情報が前記記憶部に記憶されている場合、前記特定の通信装置からの受信信号であると判別すること  
を特徴とする再起動プログラム。
【請求項９】
少なくとも１つの通信装置が接続される中継装置が実行する再起動プログラムを記録した記録媒体であって、
前記中継装置に、
通信装置から受信した受信信号が、特定の通信装置からの契機信号か否かを判別する信号判別ステップと、
当該中継装置が再起動を要する状態か否かを判別する再起動判別ステップと、
前記信号判別ステップで特定の通信装置からの契機信号であると判別し、かつ、再起動判別ステップで再起動を要する状態であると判別した場合に、当該中継装置を再起動する再起動ステップと、を実行させること
を特徴とする再起動プログラムを記録した記録媒体。
【請求項１０】
請求項９記載の再起動プログラムを記録した記録媒体であって、
前記中継装置は、前記特定の通信装置の識別情報を記憶する記憶部を備え、
前記信号判別ステップは、前記受信信号に含まれる送信元通信装置の識別情報が前記記憶部に記憶されている場合、前記特定の通信装置からの受信信号であると判別すること  
を特徴とする再起動プログラムを記録した記録媒体。
【発明の詳細な説明】
【技術分野】
【０００１】
本発明は、少なくとも１つの通信装置が接続される中継装置における再起動を行う技術に関する。
【背景技術】
【０００２】
装置を制御するファームウェアは、当該装置の機能追加やバグの修正が行われるたびに、新しいバージョンのものが公開される。装置を安全に使用するためには、新しいバージョンのファームウェアが公開されるたびに、自動的にファームウェアを更新することが望ましい。
【０００３】
ダウンロードしたファームウェアを有効にするためには装置の再起動が必要となるが、自動的に装置を再起動すると、再起動によってサービスの中断が発生するおそれがある。
【０００４】
再起動によるサービスの中断を防ぐ方法としては、例えば、特許文献１および特許文献２に記載されている。特許文献１では、再起動が必要とされる状態になった場合、ユーザに対して再起動の可否を確認するメッセージを表示する。また、特許文献２では、ユーザが装置の電源を切っている時間帯の情報を蓄積しておき、最も使用している可能性の少ない時間帯に装置の再起動を行っている。
【特許文献１】特開２００４−１０４３５１
【特許文献２】特開平１０−２５４５８４
【発明の開示】
【発明が解決しようとする課題】
【０００５】
特許文献１では、再起動の可否を確認するメッセージを表示することにより、ユーザは、予期しないサービスの中断を回避することができる。しかしながら、再起動の可否をユーザが応答する必要があるため、人手を介さない自動的な再起動を行うことができない。
【０００６】
また、特許文献２では、統計的に非通信状態である可能性の高いタイミングで再起動を行うため、人手を介すことなく再起動を行うことが可能である。しかしながら、特許文献２は、再起動時にユーザが装置を使用していないことを保証するものではないため、ユーザが装置を使用している最中に突然再起動してしまう可能性がある。
【０００７】
本発明は上記事情に鑑みてなされたものであり、本発明の目的は、通信装置への通信サービスを中断させることなく自動的に再起動を行う中継装置、再起動方法、再起動プログラムおよび再起動プログラムを記憶した記録媒体を提供することにある。
【課題を解決するための手段】
【０００８】
図１は本発明の原理構成図である。
【０００９】
本発明は、少なくとも１つの通信装置が接続される中継装置１であって、通信装置各々から受信した受信信号が、特定の通信装置からの契機信号か否かを判別する信号判別部２と、信号判別部２が特定の通信装置からの契機信号であると判別した場合であって、かつ、当該中継装置１が再起動を要する状態の場合に、当該中継装置１を再起動する起動制御部３とを備える。
【００１０】
また、本発明は、少なくとも１つの通信装置が接続される中継装置１が行う再起動方法であって、通信装置から受信した受信信号が、特定の通信装置からの契機信号か否かを判別する信号判別ステップと、当該中継装置が再起動を要する状態か否かを判別する再起動判別ステップと、信号判別ステップで特定の通信装置からの契機信号であると判別し、かつ、再起動判別ステップで再起動を要する状態であると判別した場合に、当該中継装置を再起動する再起動ステップと、を行う。
【００１１】
また、本発明は、少なくとも１つの通信装置が接続される中継装置１が実行する再起動プログラムであって、中継装置１に、通信装置から受信した受信信号が、特定の通信装置からの契機信号か否かを判別する信号判別ステップと、当該中継装置が再起動を要する状態か否かを判別する再起動判別ステップと、信号判別ステップで特定の通信装置からの契機信号であると判別し、かつ、再起動判別ステップで再起動を要する状態であると判別した場合に、当該中継装置を再起動する再起動ステップと、を実行させる。
【００１２】
また、本発明は、少なくとも１つの通信装置が接続される中継装置１が実行する再起動プログラムを記録した記録媒体であって、中継装置１に、通信装置から受信した受信信号が、特定の通信装置からの契機信号か否かを判別する信号判別ステップと、当該中継装置１が再起動を要する状態か否かを判別する再起動判別ステップと、信号判別ステップで特定の通信装置からの契機信号であると判別し、かつ、再起動判別ステップで再起動を要する状態であると判別した場合に、当該中継装置を再起動する再起動ステップと、を実行させる再起動プログラムを記録した記録媒体である。
【発明の効果】
【００１３】
本発明によれば、特定の通信装置から契機信号を受信したことを契機として当該中継装置を再起動するため、特定の通信装置への通信サービスを中断させることなく自動的に再起動を行うことができる。
【発明を実施するための最良の形態】
【００１４】
以下、本発明の実施の形態について説明する。
【００１５】
＜第１の実施形態＞    
図２は、本発明の第１の実施形態が適用された中継装置の構成を示すブロック図である。中継装置１は、ネットワーク上を流れるデータを他のネットワークに中継する装置（例えば、ルータなど）である。中継装置１には、少なくとも１つの通信装置７（例えば、ＰＣ（Personal Computer）、ＩＰ電話など）が接続される。
【００１６】
図示する中継装置１は、ＤＨＣＰサーバ４と、ＭＡＣアドレス記憶部６と、起動制御部３と、再起動フラグ記憶部５とを備える。
【００１７】
ＤＨＣＰ（Dynamic Host Configuration Protocol）サーバ４は、ネットワークに接続する通信装置７に、ＩＰアドレスなど必要な情報を自動的に割り当てる。また、ＤＨＣＰサーバ４は、通信装置７から受信した信号が、特定の通信装置７からの契機信号か否かを判別する信号判別部２を有する。
【００１８】
契機信号は、通信装置７が通信サービスの開始を要求する信号であって、通信装置７の起動時または中継装置１への接続時に発信される。本実施形態では、契機信号として、ＲＦＣ２１３１で規定されているＤＨＣＰの「ＤＨＣＰＤＩＳＣＯＶＥＲ」パケットを用いることとする。なお、「ＤＨＣＰＤＩＳＣＯＶＥＲ」は、通信装置７がＤＨＣＰサーバを発見するための信号である。
【００１９】
ＭＡＣ（Media Access Control address）アドレス記憶部６には、特定の通信装置７のＭＡＣアドレス（識別情報）が登録される。
【００２０】
起動制御部３は、信号判別部２の判別結果および再起動フラグ記憶部５の設定内容に応じて、中継装置１を再起動する。再起動フラグ記憶部５には、中継装置１の再起動が必要な状態か否かを示す再起動フラグが設定される。
【００２１】
なお、再起動が必要な状態は、例えば、新しいバージョンのソフトウェア（ファームウェアなど）をダウンロードした場合や、中継装置１の所定の設定を変更した場合などである。また、本実施形態では、再起動を必要とする状態の場合には再起動フラグに「ＴＲＵＥ」を、再起動を不要としない状態の場合には再起動フラグに「ＦＡＬＳＥ」を設定するものとする。
【００２２】
上記説明した、中継装置１は、例えば、ＣＰＵと、メモリと、ＨＤＤ等の外部記憶装置と、キーボードやマウスなどの入力装置と、ディスプレイやプリンタなどの出力装置と、ネットワークと接続するための通信制御装置と、を備えた汎用的なコンピュータシステムを用いることができる。このコンピュータシステムにおいて、ＣＰＵがメモリ上にロードされた中継装置１用のプログラムを実行することにより、中継装置１の各機能が実現される。なお、中継装置１のＭＡＣアドレス記憶部６および再起動フラグ記憶部５には、中継装置１のメモリまたは外部記憶装置が用いられるものとする。
【００２３】
次に、本実施形態の処理について説明する。
【００２４】
図３から図５は、中継装置１の再起動処理を示すフローチャートの一例である。なお、図示するフローチャートは、ＳＤＬ（Specification and Description Language：仕様記述言語）図法により示したものである。
【００２５】
図３は、中継装置１の起動時の処理を示すフローチャートである。中継装置１の起動制御部３は、ユーザの起動指示を受け付けて、または、所定のタイミングで中継装置１を起動する。中継装置１を起動後、起動制御部３は、再起動フラグ記憶部５に「ＦＡＬＳＥ」を設定する（Ｓ１１）。
【００２６】
そして、信号判別部２は、特定の通信装置７のＭＡＣアドレスをＭＡＣアドレス記憶部６に登録する（Ｓ１２）。なお、特定の通信装置７は、中継装置１に接続された通信装置７の中で、中継装置１の再起動による通信サービスの中断が発生しないことを保証する通信装置７である。
【００２７】
Ｓ１１およびＳ１２の後、中継装置１は、各通信装置７からの信号を受信可能な処理待ち状態となる。この処理待ち状態において、中継装置１は、図４のファームウェアのダウンロード、または、図５の通信装置７からの信号受信処理を行う。
【００２８】
図４は、中継装置１がファームウェアをダウンロードした時のフローチャートである。中継装置１は、ユーザの手動により、または、定期的に所定のサーバにアクセスすることによりファームウェアをダウンロードし、メモリまたは外部記憶装置に格納する（Ｓ２１）。そして、起動制御部３は、再起動が必要な状態であることを示す「ＴＲＵＥ」を再起動フラグ記憶部５に設定する（Ｓ２２）。
【００２９】
なお、図４では、再起動が必要となる場合の例として、ファームウェアのダウンロードを用いたが、所定の設定の変更など中継装置１への変更を反映させるために再起動が必要となる場合に、起動制御部３は、再起動フラグ記憶部５に「ＴＲＵＥ」を設定する（Ｓ２２）。
【００３０】
図５は、通信装置７からＤＨＣＰ信号を受信した際の中継装置１のフローチャートである。
【００３１】
まず、中継装置１の信号判別部２は、通信装置７が送信したＤＨＣＰ信号（受信信号）を受信する（Ｓ３１）。ＤＨＣＰ信号には、信号種別および送信元の通信装置７のＭＡＣアドレス（識別情報）が含まれている。
【００３２】
そして、信号判別部２は、受信したＤＨＣＰ信号の信号種別が、「ＤＨＣＰＤＩＳＣＯＶＥＲ」か否かを判別する（Ｓ３２）。「ＤＨＣＰＤＩＳＣＯＶＥＲ」は、通信装置７が、ＤＨＣＰサーバを発見するためのＤＨＣＰ信号であって、本実施形態の契機信号である。「ＤＨＣＰＤＩＳＣＯＶＥＲ」以外のＤＨＣＰ信号の場合（Ｓ３２：ＮＯ）、ＤＨＣＰサーバ４は、ＤＨＣＰプロトコルに従ってＳ３１で受信したＤＨＣＰ信号の処理を行う（Ｓ３５）。
【００３３】
一方、「ＤＨＣＰＤＩＳＣＯＶＥＲ」のＤＨＣＰ信号の場合（Ｓ３２：ＹＥＳ）、信号判別部２は、当該ＤＨＣＰ信号に含まれる送信元通信装置７のＭＡＣアドレスがＭＡＣアドレス記憶部６に登録されているか否かを判別する（Ｓ３３）。すなわち、信号判別部２は、特定の通信装置７が送信したＤＨＣＰ信号か否かを判別する。
【００３４】
送信元通信装置７のＭＡＣアドレスがＭＡＣアドレス記憶部６に登録されていない場合（Ｓ３３：ＮＯ）、ＤＨＣＰサーバ４は、ＤＨＣＰプロトコルに従ってＳ３１で受信したＤＨＣＰ信号の処理を行う（Ｓ３５）。
【００３５】
一方、送信元通信装置７のＭＡＣアドレスがＭＡＣアドレス記憶部６に登録されている場合（Ｓ３３：ＹＥＳ）、信号判別部２は、起動制御部３に再起動要求を送出する。起動制御部３は、再起動要求を受け付けると、再起動フラグ記憶部５のフラグが「ＴＲＵＥ」か否かを判別する（Ｓ３４）。
【００３６】
再起動フラグ記憶部５に「ＦＡＬＥＳ」が設定されていた場合（Ｓ３４：ＮＯ）、起動制御部３は、その旨を信号判別部２に通知する。これにより、ＤＨＣＰサーバ４は、ＤＨＣＰプロトコルに従ってＳ３１で受信したＤＨＣＰ信号の処理を行う（Ｓ３５）。
【００３７】
一方、再起動フラグ記憶部５に「ＴＲＵＥ」が設定されていた場合（Ｓ３４：ＹＥＳ）、起動制御部３は、中継装置１を再起動する。そして、中継装置１を再起動後、前述した図３の処理を行う。すなわち、起動制御部３は、再起動フラグ記憶部５に「ＦＡＬＳＥ」を設定し（Ｓ１１）、信号判別部２は、特定の通信装置７のＭＡＣアドレスをＭＡＣアドレス記憶部６に登録する（Ｓ１２）。
【００３８】
以上説明した本実施形態の中継装置では、ダウンロードしたファームウェアや設定の変更などを中継装置に反映させるために再起動が必要な状態になった場合に、特定の通信装置からの契機信号（ＤＨＣＰＤＩＳＣＯＶＥＲ）を受信したことを契機として当該中継装置を再起動する。すなわち、特定の通信装置が通信を開始する前に再起動を行うため、中継装置の再起動を行う際には、特定の通信装置が非通信状態であることが保障されている。従って、本実施形態では、特定の通信装置への通信サービスを中断させることなく、自動的に中継装置の再起動を行うことができる。
【００３９】
また、本実施形態では、一般的に使用されているＤＨＣＰ信号の「ＤＨＣＰＤＩＳＣＯＶＥＲ」を契機信号とする。これにより、新たな機能を通信装置に組み込む必要がないため、任意の通信装置のＭＡＣアドレスをＭＡＣアドレス記憶部６に登録するだけで、容易に特定の通信装置とすることができる。
【００４０】
＜第２の実施形態＞
第２の実施形態では、契機信号として、ＲＦＣ２５１６で規定されているＰＰＰｏＥ（PPP over Ethernet（登録商標））におけるＰＡＤＩパケットを用いるものとする。ＰＰＰｏＥは、ＰＰＰ（Point to Point Protocol）の機能を、Ｅｔｈｅｒｎｅｔ（登録商標）を通して利用するためのプロトコルである。
【００４１】
図６は、本発明の第２の実施形態が適用された中継装置の構成を示すブロック図である。中継装置１には、少なくとも１つの通信装置７が接続される。図示する中継装置１は、ＰＰＰｏＥサーバ９と、ＭＡＣアドレス記憶部６と、起動制御部３と、再起動フラグ記憶部５とを備える。
【００４２】
ＰＰＰｏＥサーバ９は、ネットワークに接続する通信装置７に、ＩＰアドレスなど必要な情報を自動的に割り当てる。また、ＰＰＰｏＥサーバ９は、通信装置７から受信した信号が、特定の通信装置７からの契機信号か否かを判別する信号判別部２を有する。
【００４３】
契機信号は、通信装置７が通信サービスの開始を要求する信号であって、通信装置７の起動時または中継装置１への接続時に発信される。本実施形態では、契機信号として、ＰＰＰｏＥの「ＰＡＤＩ（PPPoE Active Discovery Initiation）」パケットを用いることとする。なお、「ＰＡＤＩ」は、通信装置７がＰＰＰｏＥサーバを発見するための信号である。
【００４４】
ＭＡＣ（Media Access Control address）アドレス記憶部６には、特定の通信装置７のＭＡＣアドレス（識別情報）が登録される。
【００４５】
起動制御部３は、信号判別部２の判別結果および再起動フラグ記憶部５の設定内容に応じて、中継装置１を再起動する。再起動フラグ記憶部５には、中継装置１の再起動が必要な状態か否かを示す再起動フラグが設定される。
【００４６】
なお、再起動が必要な状態は、例えば、新しいバージョンのソフトウェア（ファームウェアなど）をダウンロードした場合や、中継装置１の所定の設定を変更した場合などである。また、本実施形態では、第１の実施形態と同様に、再起動を必要とする状態の場合には再起動フラグに「ＴＲＵＥ」を、再起動を不要としない状態の場合には再起動フラグに「ＦＡＬＳＥ」を設定するものとする。
【００４７】
上記説明した、本実施形態の中継装置１は、第１の実施形態と同様に、例えば、ＣＰＵと、メモリと、ＨＤＤ等の外部記憶装置と、キーボードやマウスなどの入力装置と、ディスプレイやプリンタなどの出力装置と、ネットワークと接続するための通信制御装置と、を備えた汎用的なコンピュータシステムを用いることができる。
【００４８】
次に、本実施形態の処理について説明する。
【００４９】
図７から図９は、中継装置１の再起動処理を示すフローチャートの一例である。
【００５０】
図７は、中継装置１の起動時の処理を示すフローチャートである。図８は、中継装置１がファームウェアをダウンロードした時のフローチャートである。図７および図８の処理は、第１の実施形態の図３および図４と同様であるため、ここでは説明を省略する。
【００５１】
図９は、通信装置７からＰＰＰｏＥ信号を受信した際の中継装置１のフローチャートである。
【００５２】
まず、中継装置１の信号判別部２は、通信装置７が送信したＰＰＰｏＥ信号（受信信号）を受信する（Ｓ６１）。ＰＰＰｏＥ信号には、信号種別および送信元の通信装置７のＭＡＣアドレス（識別情報）が含まれている。
【００５３】
そして、信号判別部２は、受信したＰＰＰｏＥ信号の信号種別が、「ＰＡＤＩ」か否かを判別する（Ｓ６２）。「ＰＡＤＩ」は、通信装置７が、ＰＰＰｏＥサーバを発見するためのＰＰＰｏＥ信号であって、本実施形態の契機信号である。「ＰＡＤＩ」以外のＰＰＰｏＥ信号の場合（Ｓ６２：ＮＯ）、ＰＰＰｏＥサーバ９は、ＰＰＰｏＥプロトコルに従ってＳ６１で受信したＰＰＰｏＥ信号の処理を行う（Ｓ６５）。
【００５４】
一方、「ＰＡＤＩ」のＰＰＰｏＥ信号の場合（Ｓ６２：ＹＥＳ）、信号判別部２は、当該ＰＰＰｏＥ信号に含まれる送信元通信装置７のＭＡＣアドレスがＭＡＣアドレス記憶部６に登録されているか否かを判別する（Ｓ６３）。すなわち、信号判別部２は、特定の通信装置７が送信したＰＰＰｏＥ信号か否かを判別する。
【００５５】
送信元通信装置７のＭＡＣアドレスがＭＡＣアドレス記憶部６に登録されていない場合（Ｓ６３：ＮＯ）、ＰＰＰｏＥサーバ９は、ＰＰＰｏＥプロトコルに従ってＳ６１で受信したＰＰＰｏＥ信号の処理を行う（Ｓ６５）。
【００５６】
一方、送信元通信装置７のＭＡＣアドレスがＭＡＣアドレス記憶部６に登録されている場合（Ｓ６３：ＹＥＳ）、信号判別部２は、起動制御部３に再起動要求を送出する。起動制御部３は、再起動要求を受け付けると、再起動フラグ記憶部５のフラグが「ＴＲＵＥ」か否かを判別する（Ｓ６４）。
【００５７】
再起動フラグ記憶部５に「ＦＡＬＥＳ」が設定されていた場合（Ｓ６４：ＮＯ）、起動制御部３は、その旨を信号判別部２に通知する。これにより、ＰＰＰｏＥサーバ９は、ＰＰＰｏＥプロトコルに従ってＳ６１で受信したＰＰＰｏＥ信号の処理を行う（Ｓ６５）。
【００５８】
一方、再起動フラグ記憶部５に「ＴＲＵＥ」が設定されていた場合（Ｓ６４：ＹＥＳ）、起動制御部３は、中継装置１を再起動する。そして、中継装置１を再起動後、図７の処理を行う。すなわち、起動制御部３は、再起動フラグ記憶部５に「ＦＡＬＳＥ」を設定し（Ｓ４１）、信号判別部２は、特定の通信装置７のＭＡＣアドレスをＭＡＣアドレス記憶部６に登録する（Ｓ４２）。
【００５９】
以上説明した本実施形態の中継装置では、ダウンロードしたファームウェアや設定の変更などを中継装置に反映させるために再起動が必要な状態になった場合に、特定の通信装置からの契機信号（ＰＡＤＩ）を受信したことを契機として当該中継装置を再起動する。すなわち、特定の通信装置が通信を開始する前に再起動を行うため、中継装置の再起動を行う際には、特定の通信装置が非通信状態であることが保障されている。従って、本実施形態においても第１の実施形態と同様に、特定の通信装置への通信サービスを中断させることなく、自動的に中継装置の再起動を行うことができる。
【００６０】
また、本実施形態では、一般的に使用されているＰＰＰｏＥ信号の「ＰＡＤＩ」を契機信号とする。これにより、新たな機能を通信装置に組み込む必要がないため、任意の通信装置のＭＡＣアドレスをＭＡＣアドレス記憶部６に登録するだけで、容易に特定の通信装置とすることができる。
【００６１】
なお、本発明は上記第１および第２の実施形態に限定されるものではなく、その要旨の範囲内で数々の変形が可能である。例えば、上記実施形態では契機信号として、「ＤＨＣＰＤＩＳＣＯＶＥＲ」と「ＰＡＤＩ」を用いたが、本発明はこれに限定されることなく、他の信号を用いることとしてもよい。
【図面の簡単な説明】
【００６２】
【図１】本発明の原理構成図である。
【図２】本発明の第１の実施形態に係る中継装置の構成を示すブロック図である。
【図３】中継装置の起動時のフローチャートである。
【図４】ファームウェアをダウンロード時の中継装置のフローチャートである。
【図５】通信装置からの信号受信時の中継装置のフローチャートである。
【図６】本発明の第２の実施形態に係る中継装置の構成を示すブロック図である。
【図７】中継装置の起動時のフローチャートである。
【図８】ファームウェアをダウンロード時の中継装置のフローチャートである。
【図９】通信装置からの信号受信時の中継装置のフローチャートである。
【符号の説明】
【００６３】
１  中継装置
２  信号判別部
３  起動制御部
４  ＤＨＣＰサーバ
５  再起動フラグ記憶部
６  ＭＡＣアドレス記憶部
７  通信装置
９  ＰＰＰｏＥサーバ
【図１】
2008271381.tif 000003
【図２】
2008271381.tif 000004
【図３】
2008271381.tif 000005
【図４】
2008271381.tif 000006
【図５】
2008271381.tif 000007
【図６】
2008271381.tif 000008
【図７】
2008271381.tif 000009
【図８】
2008271381.tif 000010
【図９】
2008271381.tif 000011